(57)【要約】【課題】ＣＤ−Ｒなどの記録媒体上に印刷を行う印刷装置にあって、外部装置からの動作電力の供給が遮断されても記録媒体を外部に取り出すことができるようにして損傷を防ぐこと。【解決手段】パーソナルコンピュータ２からＵＳＢケーブル３を介して動作用電力の供給を受けるＣＰＵ５１は、ＵＳＢケーブル３の取り外しによって電力供給の遮断が検出された場合に、内蔵する電池電源からの電力供給を受けてサーマルヘッド２１を光ディスク４上に当接する印刷位置から光ディスク４上から開離した非印刷位置に移動させることで、光ディスク４を装置本体１ａから取り出すことができ、光ディスク４の損傷を防ぐことができる。【選択図】    図１
2004276525.tif 000002
【特許請求の範囲】
【請求項１】
データ供給ラインと電力供給ラインとを備えた接続ケーブルを介して外部装置からデータ及び第１の電力の供給を受けるとともに、第１の電力とは別の第２の電力の供給を受けて動作する電子装置であって、
前記第１の電力によって動作する制御部と、
前記制御部に制御されて前記第２の電力によって動作する動作部と、
前記第１の電力の供給が遮断されたことを検出する検出部と、
前記第１の電力の供給が遮断されたときに、前記制御部への電力供給を前記第１の電力から前記第２の電力に切換える電力切換え部とを備え、
前記制御部は、前記検出部の検出結果を受けて、前記第２の電力により制御動作を継続して前記動作部を予め定めた状態になるまで動作させることを特徴とする電子装置。
【請求項２】
更に、前記制御部は、前記動作部を予め定めた状態まで動作させた後に、前記動作部への前記第２の電力の供給を停止するとともに、該制御部への前記第２の電力の供給を停止することを特徴とする請求項１に記載の電子装置。
【請求項３】
前記動作部は、印刷ヘッド、該印刷ヘッドを印刷位置と非印刷位置に移動させる移動手段及びそれらの駆動回路を備えて構成される印刷機能を有する印刷部であって、
前記制御部は、前記検出部の検出結果を受けて、前記移動手段を駆動させて前記印刷ヘッドを非印刷位置に移動させることを特徴とする請求項１に記載の電子装置。
【請求項４】
前記制御部は、更に、前記印刷ヘッドを非印刷位置に移動させた後に前記駆動回路への前記第２の電力の供給を停止するとともに、該制御部への前記第２の電力の供給を停止することを特徴とする請求項３に記載の電子機器。
【請求項５】
前記第２の電力は、外部電源から供給されることを特徴とする請求項１乃至４のいずれかに記載の電子装置。
【請求項６】
前記第２の電力は、内蔵の電池電源から供給されることを特徴とする請求項１乃至４のいずれかに記載の電子装置。
【発明の詳細な説明】
【０００１】
【発明の属する技術分野】
この発明は、外部装置から接続ケーブルを介してデータ及び電力の供給を受けるとともに、それとは別の電源から電力の供給を受けて動作する電子装置に関する。
【０００２】
【従来の技術】
出願人は、ＣＤ−Ｒなどの光ディスクの表面にレーベル印刷を行なう電子装置の開発を行った。この装置は、光ディスクを載置して装置本体内の所定位置に移動配置されるトレイ、及びこの所定位置に移動されたトレイの上部に設けられるサーマルヘッドを有する印刷機構を備え、外部装置により作成されて入力される印刷データを、前記印刷機構を作動させてトレイ上に載置された光ディスクの表面に印刷するものである。
【０００３】
この電子装置では、外部装置により作成された印刷データを外部装置に接続されたＵＳＢケーブルを介して入力する一方、電源回路を小さくしたり、電池の消耗を少なくするために、印刷機構などの消費電力が大きい動作部の駆動電源としてＡＣアダプタや内蔵電池を用い、動作部に比べて消費電力が小さい制御部の駆動電源としてＵＳＢケーブルを介して外部装置から供給される外部電源を用いている。
【０００４】
前記装置では、装置がポーダブルに構成されるものであり、ＵＳＢケーブルを印刷動作中に誤って取り外して他の場所に移動させる虞がある。あるいは、外部装置の瞬断や停電などによりＵＳＢケーブルからの電力の供給が停止する虞もあるが、このような場合に生じるであろう不都合について、特に考慮していなかった。
【０００５】
電源の供給が遮断された場合に対応する技術として、例えば、特許文献１に記載される電子装置がある。この装置は、外部から１次電源の供給を受けて２次電源を生成し、１次電源の瞬断若しくは停電が生じると１次電源断通知を出力する電源装置を備え、この電源装置から２次電源の供給を受けて演算処理を行い、その結果を内部メモリに書き込むと共に、１次電源遮断通知を受けると、内部メモリに書き込まれたデータをバックアップメモリに転送する一方、その転送に要する２次電源以外の２次電源を遮断するものである。
【０００６】
【特許文献１】
特開２００３−５８７１号公報
【０００７】
【発明が解決しようとする課題】
光ディスクへの印刷機能を有する前記装置では、印刷動作中にＵＳＢケーブルが取り外されるなどして外部装置からの電力の供給が停止されると、印刷機構のサーマルヘッドが光ディスクに当接した印刷位置にある状態のままで停止し、このため光ディスクを装置の外部に取り出すことができなくなり、また装置内部に光ディスクが入ったままの状態で持ち運び移動させると、光ディスクが印刷機構など可動機構が接触して傷を付けたりするなどの損傷を生じさせる恐れがある。
【０００８】
しかしながら、前記特許文献１に記載される電子装置では、１次電源の供給が停止した場合のデータをバックアップするための処理を行うものであり、上記課題を解決するために用いることができるものではなかった。
【０００９】
本発明は、前記のような問題に鑑み成されたもので、装置の制御部への電力の供給が停止されるような場合でも、その動作部が動作途中で停止することがなく、そのことにより生じる不都合を解消することができる電子装置を提供することを目的とする。
【００１０】
【課題を解決するための手段】
請求項１に記載の発明は、データ供給ラインと電力供給ラインとを備えた接続ケーブルを介して外部装置からデータ及び第１の電力の供給を受けるとともに、第１の電力とは別の第２の電力の供給を受けて動作する電子装置であって、前記第１の電力によって動作する制御部と、前記制御部に制御されて前記第２の電力によって動作する動作部と、前記第１の電力の供給が遮断されたことを検出する検出部と、前記第１の電力の供給が遮断されたときに、前記制御部への電力供給を前記第１の電力から前記第２の電力に切換える電力切換え部とを備え、前記制御部は、前記検出部の検出結果を受けて、前記第２の電力により制御動作を継続して前記動作部を予め定めた状態になるまで動作させることを特徴とする。
【００１１】
このように構成した電子装置では、接続ケーブルを介して外部装置から供給を受ける第１の電力の供給が遮断されたことを検出し、制御部への電力供給を第１の電力から他の第２の電力に切換えて制御部の動作を継続させ、それにより動作部を予め定めた状態になるまで動作させるように構成したため、装置の制御部への電力の供給が停止されるような場合でも、その動作部が動作途中で停止することがなく、そのことにより生じる不都合を解消することができる。
【００１２】
また、請求項２に記載の発明は、請求項１に記載の電子装置において、前記制御部は、前記動作部を予め定めた状態まで動作させた後に、前記動作部への前記第２の電力の供給を停止するとともに、該制御部への前記第２の電力の供給を停止することを特徴とする。
【００１３】
このように、動作部を予め定めた状態まで動作させた後に、動作部への第２の電力の供給を停止するとともに、制御部への第２の電力の供給を停止して終了するように構成したことにより、動作部の駆動回路などの破壊を防止することができる。
【００１４】
また、請求項３に記載の発明は、請求項１又は２に記載の電子装置において、前記動作部は、印刷ヘッド、該印刷ヘッドを印刷位置と非印刷位置に移動させる移動手段及びそれらの駆動回路を備えて構成される印刷機能を有する印刷部であって、前記制御部は、前記検出部の検出結果を受けて、前記移動手段を駆動させて前記印刷ヘッドを非印刷位置に移動させることを特徴とする。
【００１５】
このように、動作部として、印刷ヘッド、該印刷ヘッドを印刷位置と非印刷位置に移動させる移動手段及びそれらの駆動回路を備えて構成される印刷機能を有する印刷部にこの発明を適用し、前記第１の電力の供給が遮断されたときに印刷ヘッドを非印刷位置に移動するように構成することで、印刷動作が中断されても印刷対象物を傷めたりすることがなく、また印刷部の印刷ヘッドを保護することができる。
【００１６】
また、請求項４に記載の発明は、請求項３に記載の電子装置において、前記制御部は、更に、前記印刷ヘッドを非印刷位置に移動させた後に前記駆動回路への前記第２の電力の供給を停止するとともに、該制御部への前記第２の電力の供給を停止することを特徴とする。
【００１７】
このように、印刷ヘッドを非印刷位置に移動させた後に、前記駆動回路への第２の電力の供給を停止するとともに、制御部への第２の電力の供給を停止して終了するように構成することで、印刷ヘッドの駆動回路などの破壊を防止することができる。
【００１８】
請求項１ないし４に記載の電子装置において、前記第２の電力は、外部電源から供給されるものであり、あるいは内蔵の電池電源から供給されるものである。
【００１９】
【発明の実施の形態】
以下、図面を参照して本発明の実施の形態について説明する。
【００２０】
図１は本発明の実施形態に係る電子装置としての印刷装置を備えた印刷システムの全体構成を示す外観図である。
【００２１】
この印刷システムは、印刷装置１とこの印刷装置１を制御するパーソナルコンピュータ（外部装置）２を備えてなり、このパーソナルコンピュータ２と印刷装置１とは、ＵＳＢ（Ｕｎｉｖｅｒｓａｌ  Ｓｅｒｉａｌ  Ｂｕｓ）ケーブル３を介して接続される。
【００２２】
また、印刷装置１は、内蔵電池又は交流商用電源の電源コンセントから供給される交流電源電圧を直流電圧に変換するＡＣアダプタ（ＡＣ）から供給される電力によって装置各部の動作の駆動が行われる。
【００２３】
印刷装置１の装置本体１ａは、熱転写式の印刷機構を内蔵し、ＣＤ−Ｒなどの光ディスク４のレーベル印刷面に対して、パーソナルコンピュータ２により作成編集されＵＳＢケーブル３を介して供給される印刷データを印刷するもので、装置本体１ａには、光ディスク４を載置して支持するトレイ５が設けられる。
【００２４】
トレイ５は、装置本体１ａの前面に設けられたイジェクトボタン６の操作に応じて、装置本体１ａ内の所定の位置から前方に突出して光ディスク４が着脱可能な装置外の位置まで移動されるようになっている。
【００２５】
パーソナルコンピュータ２は、キーボード２ａやマウス２ｂを備え、また、表示装置２ｃを有するもので、印刷装置１により光ディスク４のレーベル印刷面に印刷するべく、パーソナルコンピュータ２において、音楽タイトルやアーティストなどの印刷データの作成編集処理を行うとともに、印刷開始の指定処理を行うと、これに伴いインターフェイス接続された印刷装置１に印刷データが送信されて印刷処理が行われる。
【００２６】
図２は印刷装置１のトレイ駆動機構及び印刷機構の構成を示す平面図、図３は印刷機構の構成を示す正面図である。
【００２７】
装置本体１ａの後部とトレイ５の後部との間にはトレイ５の押出し機構を構成するコイルスプリング７、７が設けられている。また、装置本体１ａの後部にはトレイ５を係脱可能に係止する係止機構８が設けられている。係止機構８は、ソレノイド９と、このソレノイド９のプランジャに連動してピン１０を中心に回動する係止フック１１とで構成され、この係止フック１１がトレイ５の後部に形成された突起１３と係脱可能に係合するようになっている。
【００２８】
そして、トレイ５が装置本体１ａ内に押し込まれて所定の収納位置に配置しているときにはコイルスプリング７が圧縮され、またトレイ５の突起１３が係止フック１１に係合してトレイ５が装置本体１ａ内に保持される。
【００２９】
装置本体１ａの前面に設けられたイジェクトボタン６を操作することにより、ソレノイド９が励磁され、そのプランジャが吸引されて係止フック１１がピン１０を中心に回動し、トレイ５の突起１３から外れてその係合が解除され、この係合の解除に応じてトレイ５がコイルスプリング７の弾性力により装置本体１ａの前方側に押し出されるようになっている。
【００３０】
一方、装置本体１ａ内のトレイ５の上方位置には印刷部としての印刷機構が設けられている。すなわち、トレイ５を跨いでプリンタフレーム１４が取り付けられ、このプリンタフレーム１４は、トレイ５の上面と離間して対向するフレーム横梁の下側に平行に架設されたキャリッジガイド１５を有し、フレーム横梁の下面にはその長手方向に沿って延びるラック１６が設けられている。そしてキャリッジガイド１５に沿ってキャリッジ１７が移動自在に設けられている。
【００３１】
また、このキャリッジ１７には、キャリッジ１７の走行駆動機構、サーマルヘッド２０のヘッド移動機構、インクリボンの巻取り機構が設けられ、これら各機構の駆動源となる正逆回転可能なキャリッジモータ２１がキャリッジ１７の背面に取り付けられている。
【００３２】
図４は前記印刷装置におけるキャリッジ１７に設けられたキャリッジ走行駆動機構，ヘッド移動機構，インクリボン巻取り機構の構成を示す図である。
【００３３】
キャリッジ１７には、リボンカートリッジ１８が装着され、リボンカートリッジ１８内には、リボン繰出コア２２とリボン巻取コア２３とが設けられ、これらリボン繰出コア２２とリボン巻取コア２３との間にインク部材としてのインクリボン１９が掛け渡されている。
【００３４】
キャリッジ１７内には、モータ２１の出力ギア２５が配置され、この出力ギア２５が２段ギア２６を介して前記ラック１６と噛み合う駆動ギア２７に噛合し、さらにこの駆動ギア２７がリボン巻取コア２３に嵌合され、これを駆動するリボン巻取り駆動軸２８と同軸的に設けられたワンウエイクラッチギア２９に噛合している。
【００３５】
また、キャリッジ１７内にはカムギア３１が設けられ、このカムギア３１には回転中心に対して偏心する円弧状のカム溝３２が形成されている。そしてこのカムギア３１と前記出力ギア２５との間に首振りクラッチ３３が設けられている。
【００３６】
この首振りクラッチ３３は、出力ギア２５に噛合した太陽ギア３４と、この太陽ギア３４に噛合し、かつアームを介して太陽ギア３４の周方向に移動可能に支持された一対の遊星ギア３５，３６とからなり、太陽ギア３４の時計方向の回転時には一方の遊星ギア３５がカムギア３１に噛合するとともに他方の遊星ギア３６がカムギア３１から離れ、太陽ギア３４の反時計方向の回転時には一方の遊星ギア３５がカムギア３１から離れるとともに他方の遊星ギア３６がカムギア３１に噛合するようになっている。
【００３７】
キャリッジ１７内にはシャフト３７を中心にして上下方向に回動するヘッドアーム３８が設けられ、このヘッドアーム３８はその一端側の端部に張設されたスプリング３９により図４における反時計方向に弾性的に付勢され、またこのヘッドアーム３８にはその一端寄りにピン４０が設けられ、このピン４０が前記カムギア３１のカム溝３２内に摺動自在に挿入されている。ヘッドアーム３８の他端側の端部にはサーマルヘッド２０が取り付けられている。
【００３８】
なお、図４はヘッドアーム３８が所定の角度に傾斜しサーマルヘッド２０がダウンした印刷位置にある状態を示しており、サーマルヘッド２０がアップした非印刷位置にある状態では、ピン４０はカム溝３２内の最も外周方向にあるＡの位置で係合しヘッドアーム３８はほぼ水平の状態になっている。
【００３９】
このように構成した印刷装置では、キャリッジ１７が図２のプリンタフレーム１４の左端にあるホームポジションに位置する状態はサーマルヘッド２０がアップした非印刷位置にあり、その状態でモータ２１が正転駆動されて印刷動作が開始されると、出力ギア２５、太陽ギア３４、遊星ギア３５を介してカムギア３１が時計方向に回転しサーマルヘッド２０が印刷位置にダウンする。この間、ラック１６と噛み合う駆動ギア２７も駆動されるため、キャリッジ１７は、図２においてホームポジションよりの若干右方向にある印刷開始位置まで移動する。
【００４０】
そして、サーマルヘッド２０が印刷データに基づいて駆動される一方、それに同期してモータ２１が続けて正転駆動され、これにより、サーマルヘッド２０はキャリッジ１７と一体にキャリッジガイド１５に沿って移動し、そのサーマルヘッド２０の移動範囲内において光ディスク４上のレーベル印刷面における所定の印刷範囲Ｈ（図２）に印刷が施される。
【００４１】
なお、カムギア３１の周縁の一部には欠落部（図示せず）が形成されており、モータ２１の正転駆動に応じてカムギア３１が一定の角度だけ回転したときに、その欠落部内に前記遊星ギア３５が落ち込んで空転し、これによりヘッドアーム３８がその傾斜角度を維持してサーマルヘッド２０を印刷位置に維持するように構成されているため、サーマルヘッド２０の印刷位置への移動後のキャリッジ１７の移動時には、サーマルヘッド２０が印刷位置に維持されるようになっている。
【００４２】
またこの間、キャリッジ１７の右方向への移動に伴って出力ギア２５、２段ギア２６、駆動ギア２７及びワンウエイクラッチギア２９を介してリボン巻取り駆動軸２８を駆動して使用済のインクリボン１９をリボン巻取コア２３に巻き取る。
【００４３】
キャリッジ１７が、図２の右端部まで移動して印刷が終了すると、モータ２１が逆転駆動され、出力ギア２５、太陽ギア３４、遊星ギア３６を介してカムギア３１が反時計方向に回転しサーマルヘッド２０が光ディスク４から離間する非印刷位置にアップする。この間、ラック１６と噛み合う駆動ギア２７も駆動されるため、キャリッジ１７は、図２右端から左方向に向けて移動する。
【００４４】
なお、カムギア３１の周縁の一部には遊星ギア３６に対応して欠落部（図示せず）が形成されており、カムギア３１が一定の角度だけ回転してサーマルヘッド２０が印刷待機位置に戻ったときに、その欠落部内に前記遊星ギア３６が落ち込んで空転するようになっている。
【００４５】
遊星ギア３６が欠落部内に位置した後は、モータ２１の逆転駆動による駆動ギア２７の駆動によりサーマルヘッド２０が非印刷位置に保持されたままでキャリッジ１７が左方向のホームポジションに向けて移動し、ホームポジションに復帰して動作を終了する。
【００４６】
図５は、印刷装置の電子回路の構成を示すブロック図である。
【００４７】
印刷装置１はＣＰＵ４２を備え、このＣＰＵ４２はＵＳＢケーブル３を介してパーソナルコンピュータ（ＰＣ）２と接続される。パーソナルコンピュータ（ＰＣ）２により作成編集された印刷データはこのＵＳＢケーブル３のデータ線３Ｄを介して供給され、また電力がＵＳＢケーブル３の電力供給線３Ｐを介して供給される。
【００４８】
ＣＰＵ５１には、ＲＯＭ５２及びＲＡＭ５３が備えられ、ＲＯＭ５２には、パーソナルコンピュータ２からの印刷制御信号に応じて印刷装置１の各部の動作を制御するためのシステムプログラムやＵＳＢケーブル３の取り外しによる電力供給の遮断に応じて所定の終了動作を行うための終了動作プログラムなどのプログラムデータが記憶され、また、ＲＡＭ５３には、パーソナルコンピュータ２から送信された印刷データを記憶するための印刷データメモリなどが備えられる。
【００４９】
また、ＣＰＵ５１には、モータドライバ５４を介してキャリッジモータ２１が接続され、ヘッドドライバ５５を介してサーマルヘッド２０が接続され、ソレノイド駆動トランジスタＴｒを介してソレノイド９が接続される。
【００５０】
ＣＰＵ５１は、前記パーソナルコンピュータ２から送信される印刷制御信号に応じてモータ制御信号をモータドライバ５４に出力してキャリッジモータ２１を駆動させ、ヘッド制御信号をヘッドドライバ５５に出力してサーマルヘッド２０を駆動させる。
【００５１】
そして、サーマルヘッド２０，キャリッジモータ２１，モータドライバ５４，ソレノイド９にはＡＣ／ＤＣ切替スイッチ５６を介して例えば２０ボルトの直流電圧がＡＣアダプタ（ＡＣ）又は電池電源（ＤＣ）から電力が直接供給され、また、ヘッドドライバ５５には例えば５ボルトの直流電圧が電圧変換回路５７を介してＡＣアダプタ（ＡＣ）又は電池電源（ＤＣ）から電力が直接供給され、さらに、ＣＰＵ５１，ＲＯＭ５２，ＲＡＭ５３にはＵＳＢケーブル３の電力供給線３Ｐから電力が供給される。なお、ＣＰＵ５１，ＲＯＭ５２，ＲＡＭ５３には、切替スイッチ５９の切替により、ＵＳＢケーブル３からの電力供給に代って電圧変換回路５８を介して例えば３．３ボルトの直流電圧がＡＣアダプタ（ＡＣ）や電池電源（ＤＣ）から供給される。
【００５２】
６０は、電圧検出回路であり、ＵＳＢケーブル３の電力供給線３Ｐの電圧を監視しており、その電圧が検出されなくなったときにＣＰＵ５１に検出信号を出力する。また、切替スイッチ５９はリレー回路であり、ＵＳＢケーブル３がパーソナルコンピュータ２と印刷装置１の間に接続されているときに、そのコイル６１がＵＳＢケーブル３の電力供給線３Ｐから電力供給を受けて励磁され、コイル６１が励磁されているときにはリレー回路の接点は図５のような状態にあり、ＣＰＵ５１，ＲＯＭ５２，ＲＡＭ５３に対してＵＳＢケーブル３の電力供給線３Ｐから電力を供給するようにしている。そして、パーソナルコンピュータ２と印刷装置１の間を接続するＵＳＢケーブル３が切り離されると、コイル６１の励磁が解かれてリレー回路の接点が切り換り、ＣＰＵ５１，ＲＯＭ５２，ＲＡＭ５３に対してＡＣアダプタ（ＡＣ）又は電池電源（ＤＣ）から電力が供給されることになる。
【００５３】
また、６２はＣＰＵ５１の制御信号に基づいて動作するスイッチング回路であり、印刷動作時にはスイッチング回路６２はＯＮ状態に制御されて、サーマルヘッド２０やキャリッジモータ２１及びあるいはそれらの駆動回路、あるいはソレノイド９にＡＣアダプタ（ＡＣ）又は電池電源（ＤＣ）から電源を供給する。また、印刷動作時やＵＳＢケーブル３が取り外された場合などには、ＯＦＦ状態に制御されて装置各部へのＡＣアダプタ（ＡＣ）又は電池電源（ＤＣ）からの電源供給を停止する。
【００５４】
図６は印刷装置１におけるＵＳＢケーブル３の取り外しに伴う終了処理を示すフローチャートである。
【００５５】
まず、電圧検出回路６０からＵＳＢケーブル３の電圧が未検出となったことを表す検出信号が出力されたか判断される（ステップＡ１）。
【００５６】
電圧検出回路６０から検出信号が出力された場合には、ＵＳＢケーブル３からの電力供給の遮断によりコイル６１の励磁が解かれるため、切替スイッチ５９の接点が切替りＣＰＵ５１，ＲＯＭ５２，ＲＡＭ５３への電力供給がＵＳＢケーブル３からＡＣアダプタ（ＡＣ）又は電池電源（ＤＣ）に切り替わる。この切替は瞬時に行われる。これにより、ＣＰＵ５１は、ＡＣアダプタ（ＡＣ）又は電池電源（ＤＣ）からの電力供給を受けて制御動作を継続する。
【００５７】
電圧検出回路６０から検出信号が出力された場合（ステップＡ１→Ｙ）には、現在印刷動作中であるか否かがキャリッジモータ２１やサーマルヘッド２０に対する制御状態に基づき判断される（ステップＡ２）。
【００５８】
ここで、現在印刷動作中ではないと判断された場合、つまりトレイ５上の光ディスク４の表面に対してサーマルヘッド２０などの印刷機構は接触してない状態であると判断された場合には、ＡＣアダプタ（ＡＣ）又は電池電源（ＤＣ）からの供給電力に基づきソレノイド駆動トランジスタＴｒが所定時間（例えば１秒間）駆動（ＯＮ）されてソレノイド９が励磁されることで、トレイ５が装置本体１ａからイジェクトされる（ステップＡ２→Ａ３）。
【００５９】
一方、現在印刷動作中であると判断された場合、つまりトレイ５上の光ディスク４の表面に対してサーマルヘッド２０などの印刷機構が接触している可能性が高いと判断された場合には、ＡＣアダプタ（ＡＣ）又は電池電源（ＤＣ）からの供給電力に基づきキャリッジモータ２１に逆回転の駆動制御信号が供給されてサーマルヘッド２０が非印刷位置へ上昇された後に（ステップＡ２→Ａ４）、ソレノイド駆動トランジスタＴｒが所定時間（例えば１秒間）駆動（ＯＮ）されてソレノイド１２が励磁されることでトレイ５が装置本体１ａからイジェクトされる（ステップＡ３）。
【００６０】
すなわち、ソレノイド９が励磁されると、この励磁で係止フック１１がトレイ５の突起１３から外れてその係合が解除され、トレイ５はコイルスプリング７の弾性力により装置本体１ａの前方側に突出される。これにより、トレイ５上の光ディスク４を傷つけることなく外に取り出すことができる。
【００６１】
そして、スイッチング回路６２をＯＦＦ動作させてモータドライバ５４やヘッドドライバ５５を含む装置各部への電力供給が停止されてＡＣアダプタ（ＡＣ）や電池電源（ＤＣ）の電源が遮断される（ステップＡ５）。
【００６２】
したがって、前記構成の実施形態の印刷装置におけるＵＳＢケーブル３の取り外しに伴う処理機能によれば、パーソナルコンピュータ２からの電力供給の遮断が検出された場合には、サーマルヘッド２０が所定の非印刷位置に移動して光ディスク４が取り出し可能な位置にトレイ５が排出されるので、ＵＳＢケーブル３の取り外しに伴う装置本体１ａの移動の可能性がある場合は、光ディスク４の取り出しが強制的に催促されるようになり、当該ディスク４が本体移動中にトレイ５から外れて動いたり、あるいは印刷機構のサーマルヘッド２０などディスク周囲の可動機構が接触してディスク４に傷を付けたりするなどのディスク損傷の恐れを未然に防ぐことができる。
【００６３】
なお、前記実施形態では、サーマルヘッド２０を非印刷位置に移動した後にトレイ５を排出して電源を停止したが、サーマルヘッド２０を非印刷位置に移動した後に更にキャリッジモータ２１の逆回転を継続してサーマルヘッド２０をホームポジションまで移動させた後に、トレイ５を排出し電源を停止するようにしてもよい。
【００６４】
また、前記実施形態では、印刷位置と非印刷位置に移動可能なサーマルヘッドをキャリッジに設け、キャリッジを移動することにより印刷を行う印刷装置について説明したが、図２の符号Ｈで示す印刷領域全域に対応する発熱素子を備えるサーマルヘッドを備え、このサーマルヘッドを印刷位置と非印刷位置にアップ・ダウン移動可能してトレイ上の光ディスクに印刷を行うように構成した印刷装置にも本発明を適用することができる。また、サーマルヘッドを所定の位置で印刷位置と非印刷位置に移動可能とし、このサーマルヘッドに対して印刷対象物を移動させてサーマルヘッドに設けられる発熱素子の幅で印刷を行う印刷装置であってもよい。なお、このためには、所定位置でアップ・ダウン移動可能なサーマルヘッドに対して光ディスクを載置するトレイを直線的に移動可能なトレイ移動機構を設けることになる。
【００６５】
【発明の効果】
以上のように、本発明に係る電子装置によれば、接続ケーブルを介して外部装置から供給を受ける第１の電力の供給が遮断されたことを検出し、制御部への電力供給を第１の電力から他の第２の電力に切換えて制御部の動作を継続させ、それにより動作部を予め定めた状態になるまで動作させるように構成したため、装置の制御部への電力の供給が停止されるような場合でも、その動作部が動作途中で停止することがなく、そのことにより生じる々不都合を解消することができる。
【００６６】
また、動作部を予め定めた状態まで動作させた後に、動作部への第２の電力の供給を停止するとともに、制御部への第２の電力の供給を停止して終了するように構成したことにより、動作部の駆動回路などの破壊を防止することができる。
【００６７】
また、動作部として、印刷ヘッド、該印刷ヘッドを印刷位置と非印刷位置に移動させる移動手段及びそれらの駆動回路を備えて構成される印刷機能を有する印刷部にこの発明を適用し、前記第１の電力の供給が遮断されたときに印刷ヘッドを非印刷位置に移動するように構成することで、印刷動作が中断されても印刷対象物を傷めたりすることがなく、また印刷部の印刷ヘッドを保護することができる。
【００６８】
そして、その場合に、印刷ヘッドを非印刷位置に移動させた後に、前記駆動回路への第２の電力の供給を停止するとともに、制御部への第２の電力の供給を停止して終了するように構成することで、印刷ヘッドの駆動回路などの破壊を防止することができる。
【図面の簡単な説明】
【図１】本発明の実施形態に係る電子装置としての印刷装置を備えた印刷システムの全体構成を示す外観図。
【図２】印刷装置のトレイ駆動機構及び印刷機構の構成を示す平面図。
【図３】印刷装置の印刷機構の構成を示す正面図。
【図４】印刷装置におけるキャリッジの構成を示す図。
【図５】印刷装置の電子回路の構成を示すブロック図。
【図６】印刷装置におけるＵＳＢケーブルの取り外しに伴う処理を示すフローチャート。
【符号の説明】
ＡＣ  …ＡＣアダプタ
ＤＣ  …内蔵電池
１  …印刷装置
１ａ…装置本体
２  …パーソナルコンピュータ
３  …ＵＳＢケーブル
３Ｄ…ＵＳＢデータライン
３Ｐ…ＵＳＢ電力ライン
４  …光ディスク
５  …トレイ
９  …ソレノイド
１７  …キャリッジ
１８  …インクリボンカセット
１９  …インクリボン
２０  …サーマルヘッド
２１  …キャリッジモータ
３８  …ヘッドアーム
５１  …印刷装置ＣＰＵ
５２  …印刷装置ＲＯＭ
５３  …印刷装置ＲＡＭ
５４  …モータドライバ
５５  …ヘッドドライバ
５７〜５８…電圧変換回路
５９  …切替スイッチ
６０  …電圧検出回路
Ｔｒ…ソレノイド駆動トランジスタ
【図１】
2004276525.tif 000003
【図２】
2004276525.tif 000004
【図３】
2004276525.tif 000005
【図４】
2004276525.tif 000006
【図５】
2004276525.tif 000007
【図６】
2004276525.tif 000008